(57)【要約】【課題】      電動シュレッダーについて効果的な安全対策を施すとともに、細断物がディスク状記録媒体やカード状記録媒体であっても細断をスムーズに行えるようにする。【解決手段】  細断物が通過可能な細いスリット状の投入口２０ｃを板厚内に有するガイドプレート２０を備える。ガイドプレート２０は、非細断時には横倒状態となり、細断時には起立状態となるように、上部筐体１５の通過口１５ａの隣接位置にその基端側を回転可能として取付けてある。そして、細断時の起立状態では、その基端側で通過口１５ａを外部に対して閉塞し、スリット状の投入口２０ｃのみが通過口１５ａと連通する。【選択図】    図４
0003108483.tif 000002
【実用新案登録請求の範囲】
【請求項１】
筐体の上面に開口する細断物の通過口の下側に電動カッターを備える電動シュレッダーにおいて、
細断物が通過可能な細いスリット状の投入口を板厚内に有するガイドプレートを備えており、
該ガイドプレートは、非細断時には筐体上面に沿って板面が横倒状態となり、細断時には筐体上面に対し板面が起立状態となるように、筐体における前記通過口の隣接位置にその基端側を回転可能として取付けてあり、且つ細断時の該起立状態では、その基端側が前記通過口を外部に対して閉塞し、スリット状の投入口のみが該通過口と連通することを特徴とする電動シュレッダー。
【請求項２】
通過口の下側に引出式の屑箱の収容ケースと該屑箱とを備える請求項１記載の電動シュレッダー。
【請求項３】
卓上型である請求項１又は請求項２記載の電動シュレッダー。
【請求項４】
非細断時におけるガイドプレートの横倒状態では電動カッターを回転停止し、起立状態への回転により電動カッターを回転可能とする、駆動スイッチをさらに備える請求項１〜請求項３何れか１項記載の電動シュレッダー。
【請求項５】
屑箱の引出状態では電動カッターを回転停止し、収納状態では電動カッターを回転可能とする、駆動スイッチをさらに備える請求項２〜請求項４何れか１項記載の電動シュレッダー。
【請求項６】
ガイドプレートの投入口の内部に、細断物である硬質樹脂製の板状記録媒体の板幅と略等間隔で対向位置しており、投入された該板状記録媒体を電動カッターによる細断前にガイドする内壁を設けた請求項１〜請求項５何れか１項記載の電動シュレッダー。
【請求項７】
ガイドプレートの先端形状が、一端側から他端側にかけて円弧形状である請求項１〜請求項６何れか１項記載の電動シュレッダー。
【考案の詳細な説明】
【技術分野】
【０００１】
本考案は、ＣＤ−Ｒ、ＣＤ−ＲＷ等のディスク状記録媒体（以下、ディスクという。）、磁気カード等のカード状記録媒体といった板状記録媒体や紙類などの細断物を、電動カッターで細断する電動シュレッダーに関する。
【背景技術】
【０００２】
一般に、電動シュレッダー１では、図６で示すように、筐体２の上部に設けた上向き開口の投入口３から細断物としての用紙Ｐが投入されると、用紙Ｐが案内通路４に設けたセンサ５によって検知され、これによってモータ６が駆動し電動カッター７が自動的に回転する。用紙Ｐは、電動カッター７によって細断され、排出口８から屑箱９に落下して排出される。
【考案の開示】
【考案が解決しようとする課題】
【０００３】
しかしながら、このような従来のシュレッダー１では、比較的大きな投入口３が、常に上向きに開口しているため、用紙Ｐの細断時に誤って使用者の指や装身具などが、投入口３に入り込み電動カッター７に巻込まれるおそれがある。このための安全対策としては、注意喚起用の表示シールを投入口３の近傍に貼付ける例が見受けられるが、必ずしも効果的な安全対策であるとは言えないものである。
【０００４】
また、近年では、細断物として紙類だけでなく、機密保持などの見地から、記録済みのＣＤ−Ｒ、ＣＤ−ＲＷ等のディスク状記録媒体や、磁気カード等のカード状記録媒体なども細断可能なシュレッダーが見受けられる。しかしながら、これらの板状記録媒体は、オフィスや家庭などで細断頻度の高いＡ４サイズの紙類と比べると非常に小さいため、巻込みの危険性が高く、さらに確実な安全対策が必要である。
【０００５】
さらに、それらの記録媒体を細断する際には、電動カッター７の回転を受けて記録媒体が左方向または右方向へと徐々に位置ずれしながら細断されていき、途中で投入口３の端に引っ掛かって外れなくなる等、細断をスムーズに行えないことがある。
【０００６】
以上のような従来技術を背景になされたのが本考案である。その目的の第１は、電動シュレッダーについて効果的な安全対策を施すことにある。第２は、電動シュレッダーについて、細断物がディスク状記録媒体やカード状記録媒体であっても、細断をスムーズに行えるようにすることにある。
【課題を解決するための手段】
【０００７】
そこで、上記目的を達成すべく本考案は、以下の特徴を有する電動シュレッダーとしたものである。
【０００８】
すなわち、請求項１記載の考案は、筐体の上面に開口する細断物の通過口の下側に電動カッターを備える電動シュレッダーについて、細断物が通過可能な細いスリット状の投入口を板厚内に有するガイドプレートを備えており、このガイドプレートは、非細断時には筐体上面に沿って板面が横倒状態となり、細断時には筐体上面に対して板面が起立状態となるように、筐体における前記通過口の隣接位置にその基端側を回転可能として取付けてあり、且つ細断時の該起立状態では、その基端側で前記通過口を外部に対して閉塞し、スリット状の投入口のみが該通過口と連通することを特徴とする。
【０００９】
請求項１記載の考案によれば、細断物が通過可能なスリット状の投入口を板厚内に有するガイドプレートを備えており、細断時の該起立状態では、ガイドプレートの基端側が前記通過口を外部に対して閉塞し、スリット状の投入口のみが該通過口と連通するものであるため、使用者の指や装身具などが細いスリット状の投入口に触れても中には入らず、またガイドプレートの基端側で通過口も外部に対して閉塞されるので、高い安全性を実現することができる。
【００１０】
また、ガイドプレートは、非細断時には筐体上面に沿って板面が倒れる横倒状態となり、細断時には筐体上面に対して板面が立ち上がる起立状態となるように、筐体における前記通過口の隣接位置にその基端側を回転可能として取付けてあるため、使用しない時には横倒状態となりコンパクトになるから場所を取らない。
【００１１】
請求項２記載の考案は、通過口の下側に引出式の屑箱の収容ケースと該屑箱とを備えるものである。
【００１２】
前述の請求項１記載の電動シュレッダーは、細断物の屑箱を一体に備えず、例えばゴミ箱の上縁に引っ掛けて使用するタイプの電動シュレッダーとして構成することが可能である。そしてこの請求項２記載の考案によれば、屑箱と一体型の電動シュレッダーを実現することができ便利である。
【００１３】
請求項３記載の考案は卓上型としたものである。
【００１４】
前述の請求項１及び請求項２記載の電動シュレッダーは、細断能力が高く細断屑の容量が大きいオフィスなどで使用される床置き型の電動シュレッダーとして構成することが可能である。しかしながら、この請求項３記載の考案は卓上型であるため、設置スペースが小さく使用場所を選ばす手軽に使えて便利である。
【００１５】
請求項４記載の考案は、非細断時におけるガイドプレートの横倒状態では電動カッターを回転停止し、起立状態への回転により電動カッターを回転可能とする、駆動スイッチをさらに備えるものである。
【００１６】
請求項４記載の考案によれば、駆動スイッチによって、起立状態への回転により電動カッターが回転可能となり、非細断時におけるガイドプレートの横倒状態では電動カッターが回転停止するので、ガイドプレートが横倒状態のときに、筐体に開口する通過口に触れても電動カッターに巻き込まれることはない。
【００１７】
なお、本考案でいう「電動カッターを回転停止」するとは、電動シュレッダーの電源はオンされているが電動カッターは通電されていない場合、または電動シュレッダーの電源自体がオフになる場合の少なくとも何れかを含むものである。また、「電動カッターを回転可能」とは、電動シュレッダーの電源はオンされるが電動カッターは回転しない場合、電動シュレッダーの電源がオンされるとともに電動カッターも通電されて回転駆動する場合の少なくとも何れかを含むものである。
【００１８】
請求項５記載の考案は、屑箱の引出状態では電動カッターを回転停止し、収納状態では電動カッターを回転可能とする、駆動スイッチをさらに備えるものである。
【００１９】
請求項５記載の考案によれば、屑箱の収納状態で電動カッターを回転可能であり、引出状態では電動カッターが回転停止するので、屑箱を引き出した際の安全性を確保できる。
【００２０】
請求項６記載の考案は、ガイドプレートの投入口の内部に、細断物である硬質樹脂製の板状記録媒体の板幅と略等間隔で対向位置しており、投入された該板状記録媒体を電動カッターによる細断前にガイドする内壁を設けたものである。
【００２１】
請求項６記載の考案によれば、投入された板状記録媒体は、電動カッターの細断前に投入口の内壁によりガイドされるため、電動カッターの回転を受けても、右方向または左方向へと徐々に位置ずれしながら細断されることがなく、板状記録媒体を投入口へ落とすだけでスムーズに細断を行える。
【００２２】
なお、本考案でいう「板状記録媒体」とは、ＣＤ−ＲやＣＤ−ＲＷなどのディスク状記録媒体や、磁気カードなどのカード状記録媒体を含むものであり、したがってそれらに応じて内壁間の間隔もこれらに適合する間隔として構成されるものである。
【００２３】
請求項７記載の考案は、ガイドプレートの先端形状を、一端側から他端側にかけて円弧形状としたものである。
【００２４】
例えばディスク状記録媒体を投入する際に、ガイドプレートの先端形状が角形であると、ガイドプレートの投入口の内部に入り込むにつれて、ディスク状記録媒体の周縁の露出部分が小さくなり、完全に内部に入り込む直前には指一本で投入させなければならない。しかしながら、本考案によれば、ガイドプレートの投入口の内部に完全に入り込むまで、ディスク状記録媒体の周縁を長い円弧で露出させておくことができるので、投入操作を安定して確実に行うことができる。また、角が無いから細断物の投入時に手を痛めることも無い。
【考案の効果】
【００２５】
本考案の電動シュレッダーによれば、細断物が、紙類の場合はもちろんのこと、ＣＤ−Ｒ、ＣＤ−ＲＷやクレジットカード等の硬質樹脂製の板状記録媒体であっても、電動カッターへの巻込みの危険性が無く安全に、またスムーズに細断することができる。
【考案を実施するための最良の形態】
【００２６】
以下、本考案による電動シュレッダーの一実施形態について図面を参照しつつ説明する。なお、ここでは一実施形態として、ＣＤ−ＲＯＭ、ＣＤ−Ｒ等のディスクの細断に好適な卓上で使用可能な小型の電動シュレッダーについて説明する。
【００２７】
本実施形態の電動シュレッダー１０は、本体１１と、上部開口の箱型の屑箱１２と、を備えている。本体１１にはケース１３を備えており、このケース１３は、正面に門型に開口する収容口１３ａから屑箱１２を出し入れできるようになっている。また、上部開口１３ｂには細断装置１４が取付けられている。ケース１３の底板１３ｃには、２本のガイド突条１３ｄが形成されており、屑箱１２の底板にはそれに対応するガイド受け溝が形成されている（図示略）。
【００２８】
細断装置１４は、図２で示すように、「筐体」としての上部筐体１５と下部筐体１６とを備えており、上部筐体１５には溝状とした細断物の通過口１５ａが形成されている。この通過口１５ａには、細断物の通過を検知するセンサ１５ｂが取付けられている。通過口１５ａの下には、電動カッター１７が取付けられている。電動カッター１７の上側開口１７ａは、通過口１５ａと連通しており、下側開口１７ｂは下部筐体１６の底板１６ａに開口する排出口１６ｂと連通している。したがって、カッター刃１７ｃで細断された細断物は、排出口１６ｂから屑箱１２に落下して排出される。
【００２９】
さて、本実施形態の電動シュレッダー１０には、電源をオン／オフする２つのスイッチが備わっている。その一つが、下部筐体１６の底板１６ａから突出するように設けたスイッチ１８である。このスイッチ１８は、屑箱１２に設けた小突起１２ａと当接し、それによって押し上げられることで、電動シュレッダー１０の電源をオンとする。そして、屑箱１２が引き出されると、小突起１２ａとの当接が外れて電動シュレッダー１０の電源をオフとするものである。
【００３０】
そして、もう一つのスイッチは上部筐体１５に取付けたスイッチ１９である。このスイッチ１９のオン／オフは、ガイドプレート２０によって行われる。ガイドプレート２０は、２０ａを軸心とする図外の回転軸によって、上部筐体１５に対して回転可能に支持されている。つまり、ガイドプレート２０は、図１〜図３で示すように、上部筐体１５の上面に形成したガイドプレート２０と相対形状の凹部１５ｃの内部へと倒れる横倒状態、および図４で示すように、凹部１５ｃから回転軸の軸心２０ａを中心として回転することによって立ち上がる起立状態、となるように支持されている。ガイドプレート２０は、図外のコイルばねによって起立状態となる回転方向へと常に弾発的に付勢されており、横倒状態ではロック片２１との係止によって回転しないように保持されている。そして、ロック片２１をスライドさせると係止が解除されて、ガイドプレート２０が軸心２０ａを中心として回転する。この回転によりガイドプレート２０の基端側に形成した作動突起２０ｂも回転し、作動突起２０ｂがスイッチ１９を押圧することで、スイッチ１９がオンされることになる。つまり、電動シュレッダー１０の電源がオンされる。そして、ガイドプレート２０を再び横倒状態となるように回転させると、作動突起２０ｂによるスイッチ１９への押圧が解除されて、電動シュレッダー１０の電源がオフとなる。
【００３１】
以上のような２つのスイッチ１８，１９は、本実施形態では主従関係があり、スイッチ１８がオンされていなければ、つまり屑箱１２がちゃんと収容されていなければ、ガイドプレート２０が起立状態となってスイッチ１９がオンされても、電動シュレッダー１０の電源がオンされないようになっている。屑箱１２を取り外した状態における安全性を確保するためである。逆に、屑箱１２が収容されていても、ガイドプレート２０を起立状態としなければ、電動シュレッダー１０の電源はオンされない。
【００３２】
したがって、図４で示すように、ガイドプレート２０の横倒状態では、通過口１５ａが外部に露出する格好となっているが、電動シュレッダー１０の電源はオンされないため安全である。また、ガイドプレート２０が起立状態であることは一目瞭然であるため、使用者において電動シュレッダー１０の電源がオンであることに対して十分注意を促すことができる。
【００３３】
こうして双方のスイッチ１８，１９が共にオンとなり、細断物の通過が通過口１５ａのセンサ１５ｂによって検知されることで、はじめて電動カッター１７のカッター刃１７ｃが回転することになる。そして、カッター刃１７ｃが回転する際には、起立状態となったガイドプレート２０の基端側部分で通過口１５ａを外部に対して閉塞しており、通過口１５ａに通じるのは細いスリット状の投入口２０ｃだけであるため、細断時における高い安全性を確保することができるようになっている。以上のようなスイッチ１８，１９とセンサ１５ｂとによる電動シュレッダー１０の電源のオン／オフ制御と、電動カッター１７の回転制御は、制御ユニット２２（図２）でなされる。
【００３４】
ところで、ガイドプレート２０の細いスリット状の投入口２０ｃは、ガイドプレート２０の板厚内に貫通形成されており、本実施形態における投入口２０ｃの開口幅は、その内部に形成した内壁２０ｄどうしの対向間隔であり、図５で示すＣＤ−Ｒ等のディスク２３の直径Ｌよりも若干大きなサイズとされている。一方、投入口２０ｃの高さは、ディスク２３の厚みよりも若干高いものとなっている。また、投入口２０ｃ（ガイドプレート２０）の先端は、一端側から他端側にかけて円弧形状となっている。
【００３５】
このような投入口２０ｃをガイドプレート２０に形成すると、ディスク２３の下端を、円弧形状とした投入口２０ｃの入側端部の中へ僅かに差し込ませるだけで、後は手放しでディスク２３を投入しても細断できるようになっている。
【００３６】
すなわち、例えば図５で示すように、ディスク２３の中心が投入口２０ａの幅中心に対して左右方向でずれて投入されても、ディスク２３は、内壁２０ｄの入側端部と接触してから、自重によって投入口２０ｃの幅中心に向けて方向修正されて落下していく。そして、内壁２０ｄによるガイドを受ける位置まで落下したディスク２３′は、その下端が電動カッター１７のカッター刃１７ｃと接触するまでの距離Ｄを、内壁２０ｄによるガイドを受けて投入口２０ｃの幅中心と合致しながら、真っ直ぐに落下していく。これによりディスク２３"はカッター刃１７ｃに対して真っ直ぐに入り込んで細断されることになり、中心が投入口２０ｃの幅中心に対してずれながら斜めに入り込んで細断されないので、細断の途中で内壁２０ｄに対して引っ掛かって細断が停止してしまうような不都合がなくスムーズな細断が可能である。この後は、カッター刃１７ｃによりディスク２３"が細断されることになる。
【００３７】
そして、以上のような細断の過程では、ガイドプレート２０の先端が円弧形状であることによる次のような利点が得られる。すなわち、例えば、ディスクを投入する際に、ガイドプレート２０の先端形状が角形（直線状）であると、そのガイドプレートの投入口の内部に入り込むにつれて、ディスクの周縁の露出部分が小さくなり、完全に内部に入り込む直前には指一本で投入させなければならない。しかしながら、本実施形態では、ガイドプレート２０の投入口２０ｃの内部に完全に入り込むまで、ディスク２３の周縁を長い円弧で外部に露出させておくことができるので、投入口２０ｃの中に完全に隠れるまでディスク２３を安定して押し込むことができるのである。また、角が無いから細断物の投入時に手を痛めることも無いのである。
【００３８】
以上説明した本実施形態の電動シュレッダー１０については各種の変形例による実施が可能であるから、その一例を説明する。
【００３９】
前記実施形態では、電動シュレッダー１０としてＣＤ−Ｒ等のディスクの細断に好適なものを例示したが、例えばキャッシュカードやクレジットカード等のカード状記録媒体の細断に好適な電動シュレッダーとして構成することもできる。この場合には、例えばガイドプレート２０の投入口２０ｃの形状をカード状記録媒体の縦幅又は横幅よりやや大きいものとして形成したり、あるいは投入口２０ｃに差し込むカード状記録媒体細断専用のアタッチメントを取付けるようにしてもよい。また、前記実施形態では、ディスクの細断例を示したが、紙類を細断してもよいことは勿論である。そしてこの場合に、例えばＡ４サイズの幅に合う投入口をガイドプレートに形成するようにしてもよい。
【００４０】
前記実施形態では、双方のスイッチ１８，１９が共にオンされることで、電動シュレッダー１０の電源がオンされる例を示したが、これらのスイッチ１８，１９を電動カッター１７への通電のオン／オフに利用して、双方のスイッチ１８，１９が共にオンされることでカッター刃１７ｃが回転し、その何れかがオフされればカッター刃１７ｃの回転が停止するものとしてもよい。
【図面の簡単な説明】
【００４１】
【図１】一実施形態による電動シュレッダーの外観斜視図。
【図２】図１の電動シュレッダーの中央縦断面による動作説明図。
【図３】電動シュレッダーのガイドプレートの横倒状態を示す部分拡大断面による説明図。
【図４】電動シュレッダーのガイドプレートの起立状態を示す部分拡大断面による説明図。
【図５】電動シュレッダーのガイドプレートにディスクを投入する状態を模式的に示す説明図。
【図６】一従来例による電動シュレッダーの概略構成を示す模式図。
【符号の説明】
【００４２】
１０    電動シュレッダー
１１    本体
１２    屑箱
１２ａ  小突起
１３    ケース
１３ａ  収容口
１３ｂ  上部開口
１３ｃ  底板
１３ｄ  ガイド突条
１４    細断装置
１５    上部筐体（筐体）
１５ａ  通過口
１５ｂ  センサ
１５ｃ  凹部
１６    下部筐体
１６ａ  底板
１６ｂ  排出口
１７    電動カッター
１７ａ  上側開口
１７ｂ  下側開口
１７ｃ  カッター刃
１８    スイッチ（駆動スイッチ）
１９    スイッチ（駆動スイッチ）
２０    ガイドプレート
２０ａ  軸心
２０ｂ  作動突起
２０ｃ  投入口
２０ｄ  内壁
２１    ロック片
２２    制御ユニット
２３    ディスク状記録媒体（板状記録媒体）
【図１】
0003108483.tif 000003
【図２】
0003108483.tif 000004
【図３】
0003108483.tif 000005
【図４】
0003108483.tif 000006
【図５】
0003108483.tif 000007
【図６】
0003108483.tif 000008